(57)【要約】【課題】本発明は、用紙切れ等で印刷が中断した場合に消耗品の消費を抑制しつつ利用性が良好な状態で効率的に印刷を再開する。【解決手段】デジタル複写装置１は、印刷対象の印刷データをデータ蓄積部に保存して、該印刷データに基づいてロール紙Ｒ１〜Ｒ３に印刷している途中に、該印刷が異常中断すると、該印刷データにおける中断位置を取得し、操作表示部９での操作によって、該中断位置から印刷済み印刷データ方向の任意の位置が印刷再開位置として設定されると、指定された該印刷再開位置から以降の印刷データをデータ蓄積部から読み出して、画像形成部４によるロール紙Ｒ１〜Ｒ３への印刷を再開する。【選択図】          図１
2012148437.tif 000002
【特許請求の範囲】
【請求項１】
画像形成対象の画像データを保存するデータ保存手段と、
前記画像データに基づいてロール紙に画像形成する画像形成手段と、
前記画像形成手段による前記ロール紙への画像形成途中に該画像形成が異常中断すると、前記画像データにおける中断位置を取得する中断位置取得手段と、
前記中断位置から画像形成済み画像データ方向の任意の位置を画像形成再開位置として指定する画像形成再開位置指定手段と、
前記画像形成再開位置指定手段で指定された前記画像形成再開位置から以降の前記画像データを前記データ保存手段から読み出して前記画像形成手段に前記ロール紙への画像形成を再開させる画像形成再開制御手段と、
を備えていることを特徴とする画像形成装置。
【請求項２】
前記画像形成再開位置指定手段は、
前記画像データの適宜の区切り部分のうち、前記中断位置から適宜に指定された該区切り部分の数だけ画像形成済み画像データ方向の区切り部分を、前記画像形成再開位置として指定することを特徴とする請求項１記載の画像形成装置。
【請求項３】
前記画像形成再開位置指定手段は、
前記中断位置から前記画像データの任意のライン数だけ画像形成済み画像データ方向の位置を、前記画像形成再開位置として指定することを特徴とする請求項１記載の画像形成装置。
【請求項４】
前記画像形成再開位置指定手段は、
前記中断位置から前記ロール紙の任意の長さだけ画像形成済み画像データ方向の位置を、前記画像形成再開位置として指定することを特徴とする請求項１記載の画像形成装置。
【請求項５】
前記画像形成再開位置指定手段は、
前記画像データの適宜の区切り部分のうち前記中断位置から適宜に指定された該区切り部分の数だけ画像形成済み画像データ方向の区切り部分、該中断位置から該画像データの任意のライン数だけ画像形成済み画像データ方向の任意ライン後方位置、該中断位置から前記ロール紙の任意の長さだけ画像形成済み画像データ方向の任意長さ後方位置を前記画像形成再開位置として記憶する画像形成再開位置記憶手段と、
前記画像形成再開位置記憶手段の前記区切り部分、前記任意ライン後方位置、前記任意長さ後方位置または前記中断位置のうちいずれかの位置を前記画像形成再開位置として選択する画像形成再開位置選択手段と、
を有することを特徴とする請求項１記載の画像形成装置。
【請求項６】
前記画像形成装置は、
前記画像形成再開位置指定手段によって予め設定されている前記画像形成再開位置を、初期設定画像形成再開位置として記憶する画像形成再開位置記憶手段を備え、
前記画像形成再開制御手段は、
前記画像形成再開位置記憶手段に記憶されている前記初期設定画像形成再開位置を前記画像形成再開位置として前記画像形成手段に画像形成させることを特徴とする請求項１から請求項５のいずれかに記載の画像形成装置。
【請求項７】
画像形成対象の画像データをデータ保存手段に保存するデータ保存処理ステップと、
前記画像データに基づいてロール紙に画像形成する画像形成処理ステップと、
前記画像形成処理ステップでの前記ロール紙への画像形成途中に該画像形成が異常中断すると、前記画像データにおける中断位置を取得する中断位置取得処理ステップと、
画像形成再開位置指定手段による指定指示に応じて、前記中断位置から既に画像形成済み画像データ方向の任意の位置を画像形成再開位置として設定する画像形成再開位置設定処理ステップと、
前記画像形成再開位置設定処理ステップで設定された前記画像形成再開位置から以降の前記画像データを前記データ保存手段から読み出して前記画像形成処理ステップで前記ロール紙への画像形成を再開させる画像形成再開制御処理ステップと、
を有していることを特徴とする画像形成制御方法。
【請求項８】
コンピュータに、
画像形成対象の画像データをデータ保存手段に保存するデータ保存処理と、
前記画像データに基づいてロール紙に画像形成する画像形成処理と、
前記画像形成処理での前記ロール紙への画像形成途中に該画像形成が異常中断すると、前記画像データにおける中断位置を取得する中断位置取得処理と、
画像形成再開位置指定手段による指定指示に応じて、前記中断位置から既に画像形成済み画像データ方向の任意の位置を画像形成再開位置として設定する画像形成再開位置設定処理と、
前記画像形成再開位置設定処理で設定された前記画像形成再開位置から以降の前記画像データを前記データ保存手段から読み出して前記画像形成処理で前記ロール紙への画像形成を再開させる画像形成再開制御処理と、
を実行させる画像形成制御プログラム。
【請求項９】
請求項８記載の画像形成制御プログラムを記録したことを特徴とするコンピュータが読み取り可能な記録媒体。
【発明の詳細な説明】
【技術分野】
【０００１】
本発明は、画像形成装置、画像形成制御方法、画像形成制御プログラム及び記録媒体に関し、詳細には、用紙切れ等で印刷が停止した場合の印刷再開を効率的に行う画像形成装置、画像形成制御方法、画像形成制御プログラム及び記録媒体に関する。
【背景技術】
【０００２】
Ａ０幅等の広幅の用紙に画像を形成する画像形成装置においては、長尺の画像を形成できるように、画像形成する用紙として、一般的に、ロール紙が用いられており、ロール紙は、紙管に長尺の用紙が巻き付けられている。
【０００３】
このようなロール紙を用いた画像形成装置は、印刷対象の画像の長さに合わせて用紙をロール紙から引き出して印刷し、印刷した画像の長さに応じてロール紙から引き出された用紙をカットしている。
【０００４】
そして、ロール紙を用いた画像形成装置においては、従来、印刷中に紙のジャム等が発生して印刷が中断されると、そのまま印刷をキャンセルするか、または、現在印刷しているページの最初から再度印刷を行っている。
【０００５】
ところが、ロール紙を用いた画像形成装置においては、カット紙のように、用紙サイズが、Ａ４、Ａ３等のように１ページ（カットされた紙１枚）の長さが決まっておらず、任意の長さの用紙に印刷して、印刷物を作成することができる。
【０００６】
したがって、ジャム等で印刷を中断したときに、ジャムの発生したページの最初から印刷を再開すると、用紙やインク等の消耗品を大量に消費する。例えば、１０ｍを印刷する場合、９ｍまで印刷を完了した時点で、ジャム等によって印刷が中断したときに、ページの最初から再度印刷すると、既に印刷した９ｍ分のインク、用紙、印刷時間が無駄になる。
【０００７】
そして、従来、印刷データを所定の大きさで分割するとともに、用紙切れが発生すると、該用紙切れが発生した分割印刷データの最初から印字動作を再開する技術が提案されている（特許文献１参照）。
【発明の概要】
【発明が解決しようとする課題】
【０００８】
しかしながら、上記従来技術にあっては、１ページを複数の印刷データに分割して、用紙切れの発生した分割印刷データの最初から印刷を再開しているため、インクや用紙等の消耗品の無駄を抑制することはできるが、印刷が途中で中断したときに、ユーザが印刷を再開したい印刷データの位置は、装置側で分割した印刷データの最初の分割位置とは限らず、利用性が悪いという問題があった。また、公報記載の従来技術は、予め決まった大きさに印刷データを分割しているが、分割単位がユーザの利用意図と一致するとは限らず、利用性が悪いという問題があった。さらに、公報記載の従来技術は、用紙切れの場合の対応技術であり、用紙切れ以外の用紙ジャム等の印刷停止時には対応しておらず、利用性が悪いという問題があった。
【０００９】
そこで、本発明は、画像形成が中断した場合に、消耗品の無駄を抑制しつつ利用性を向上させる状態で画像形成を再開することのできる画像形成装置、画像形成制御方法、画像形成制御プログラム及び記録媒体を提供することを目的としている。
【課題を解決するための手段】
【００１０】
本発明は、上記目的を達成するために、画像形成対象の画像データをデータ保存手段に保存して、該画像データに基づいてロール紙に画像形成している途中に、該画像形成が異常中断すると、該画像データにおける中断位置を取得し、指定に応じて、該中断位置から既に画像形成済み画像データ方向の任意の位置を画像形成再開位置として設定して、設定した該画像形成再開位置から以降の前記画像データを前記データ保存手段から読み出して前記ロール紙への画像形成を再開することを特徴としている。
【００１１】
また、本発明は、前記画像データの適宜の区切り部分のうち、前記中断位置から適宜に指定された該区切り部分の数だけ画像形成済み画像データ方向の区切り部分を、前記画像形成再開位置として指定することを特徴としてもよい。
【００１２】
さらに、本発明は、前記中断位置から前記画像データの任意のライン数だけ画像形成済み画像データ方向の位置を、前記画像形成再開位置として指定することを特徴としてもよい。
【００１３】
また、本発明は、前記中断位置から前記ロール紙の任意の長さだけ画像形成済み画像データ方向の位置を、前記画像形成再開位置として指定することを特徴としてもよい。
【００１４】
さらに、本発明は、前記画像データの適宜の区切り部分のうち前記中断位置から適宜に指定された該区切り部分の数だけ画像形成済み画像データ方向の区切り部分、該中断位置から該画像データの任意のライン数だけ画像形成済み画像データ方向の任意ライン後方位置、該中断位置から前記ロール紙の任意の長さだけ画像形成済み画像データ方向の任意長さ後方位置を前記画像形成再開位置として記憶して、該区切り部分、該任意ライン後方位置、該任意長さ後方位置または前記中断位置のうちいずれかの位置を前記画像形成再開位置として選択することを特徴としてもよい。
【発明の効果】
【００１５】
本発明によれば、画像形成が中断した場合に、消耗品の無駄を抑制しつつ利用性を向上させる状態で画像形成を再開することができる。
【図面の簡単な説明】
【００１６】
【図１】本発明の一実施例を適用したデジタル複写装置の側面概略構成図。
【図２】デジタル複写装置の要部ブロック構成図。
【図３】印刷中断再開制御処理を示すフローチャート。
【図４】印刷再開位置選択画面の一例を示す図。
【図５】印刷再開位置設定画面の一例を示す図。
【図６】印刷再開デフォルト位置設定画面の一例を示す図。
【図７】印刷再開処理を示すフローチャート。
【図８】印刷中断再開処理の説明図。
【発明を実施するための形態】
【００１７】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００１８】
図１〜図８は、本発明の画像形成装置、画像形成制御方法、画像形成制御プログラム及び記録媒体の一実施例を示す図であり、図１は、本発明の画像形成装置、画像形成制御方法、画像形成制御プログラム及び記録媒体の一実施例を適用したデジタル複写装置１の側面概略構成図である。
【００１９】
図１において、デジタル複写装置（画像形成装置）１は、本体筐体２内に、給紙部３、画像形成部４、排紙部５が収納されており、本体筐体２の画像形成部４よりも上部に、排紙トレイ６が形成されていて、さらに、本体筐体２の上部に、画像読み取り部７、原稿台８、操作表示部９及び原稿排出テーブル１０等が配設されている。デジタル複写装置１は、広幅で、長尺の用紙に対応している。
【００２０】
給紙部３は、３つのロール紙ＰＲ１〜ＰＲ３を収納可能なロール紙給紙部３ａとカット用紙ＣＰを給紙可能な手差し給紙部３ｂ及びレジストローラ３０等を備えており、ロール紙給紙部３ａには、それぞれ用紙幅の異なるロール紙Ｒ１〜Ｒ３を収納することができる。
【００２１】
ロール紙給紙部３ａには、各ロール紙ＰＲ１〜ＰＲ３に対応して、搬送ローラ３１、３２、３３が配設されているとともに、中間搬送ローラ３４、３５、３６及びロールカッタ３７、３８等を備えており、搬送ローラ３１、３２、３３は、印刷対象となっているロール紙ＰＲ１、ＰＲ２、ＰＲ３を引き出して中間搬送ローラ３４、３５、３６に送り出して、中間搬送ローラ３４、３５、３６が送り出されてきたロール紙ＰＲ１、ＰＲ２、ＰＲ３をレジストローラ３０に搬送する。ロールカッタ３７、３８は、印刷対象のロール紙ＰＲ１、ＰＲ２、ＰＲ３を印刷データに合わせて切断する。
【００２２】
手差し給紙部３ｂは、手差し給紙台Ｔｂと搬送ローラ３９を備えており、手差し給紙台Ｔｂ上にセットされたカット用紙ＣＰを搬送ローラ３９によって１枚ずつレジストローラ３０に搬送する。
【００２３】
レジストローラ３０は、送られてきたロール紙Ｒ１〜Ｒ３またはカット用紙ＣＰの搬送を停止させ、画像形成部４での画像形成タイミング（印刷タイミング）に合わせて回転して、画像形成部４にロール紙Ｒ１〜Ｒ３またはカット用紙ＣＰを搬送する。
【００２４】
なお、図示しないが、給紙部３には、セットされたロール紙ＲＰ１〜ＲＰ３及びカット用紙ＣＰの少なくとも幅サイズ（幅）を検出する用紙センサが配設されている。
【００２５】
画像形成部４は、図１の反時計方向に回転駆動される感光体４１を中心として、帯電部、光書き込み部４２、現像ユニット、転写部４３、分離部及び除電部やクリーニング部等を備えているとともに、定着部４４等を備えており、帯電部によって一様に帯電された感光体４１に、光書き込み部４２が、後述する画像読み取り部７で読み取られた原稿の画像データや外部のコンピュータ等の外部装置から送られてきた画像データに基づいて点灯制御される光を照射することで、感光体４１の表面に、光の照射された部分の電荷を消滅させて静電潜像を形成する。画像形成部４は、静電潜像の形成された感光体４１に、現像部でトナーを付与して、静電潜像を現像してトナー画像を形成し、レジストローラ３０によって感光体４１上のトナー画像と位置合わせして、感光体４１と転写部４３との間に送られてきたロール紙ＲＰ１〜ＲＰ３またはカット用紙ＣＰに、感光体４１上のトナー画像を転写させる。画像形成部４は、転写の完了したロール紙ＲＰ１〜ＲＰ３またはカット用紙ＣＰを感光体４１から分離させて定着部４４に送り出す。定着部４４は、トナー画像の転写された用紙を加熱・加圧しつつ搬送して、トナー画像を用紙に定着させ、排出部５に送り出す。
【００２６】
排紙部５は、排出ローラ５１、５２及び分離爪５３を備えており、トナー画像の定着された用紙をロール紙ＲＰ１〜ＲＰ３またはカット用紙ＣＰを、分離爪５３の切り替えに位置に応じて、排紙トレイ６上またはデジタル複写装置１外に排出する。
【００２７】
上記給紙部３、画像形成部４及び排紙部５は、全体として、画像形成手段として機能している。
【００２８】
なお、本実施例においては、画像形成部４が、電子写真方式の画像形成部である場合について説明したが、画像形成部４の画像形成方式としては、電子写真方式に限るものではなく、例えば、インク噴射方式等であってもよい。
【００２９】
画像読み取り部７は、原稿台８上にセットされた原稿を、１枚ずつ取り込んで、図１に矢印で示す搬送方向（副走査方向）に対して上流側から下流側に向かって、前ローラ６１、原稿挿入センサ６２、読み取りセンサ部６３、後ローラ６４、原稿排出センサ６５及び排出ローラ６６の順に配置され、画像読み取り部７は、前ローラ６１及び後ローラ６４を駆動させる原稿搬送モータが原稿搬送面の下部に配設されている。
【００３０】
画像読み取り部７は、原稿挿入センサ６２が、原稿台８への原稿の挿入の有無を検知して、操作表示部９で読み取り開始の指示操作が行われると、前ローラ６１は、原稿台８に挿入された原稿を読み取りセンサ部３２を通過させて、後ローラ６４へと搬送し、読み取りセンサ部６３が、搬送される原稿の画像を読み取る。画像読み取り部７は、読み取りセンサ部６３が画像を読み取った原稿を、原稿排出センサ６５が、検出し、後ローラ６４及び排出ローラ６６が、画像の読み取りの完了した原稿を原稿排出テーブル１０に排出する。なお、読み取りセンサ部６３は、例えば、ＣＩＳ（密着イメージセンサ）または縮小光学系を用いたＣＣＤ（Charge Coupled Device ）等が用いられている。
【００３１】
操作表示部（画像形成再開位置指定手段）９は、テンキー、スタートキー、ストップキー、リセットキー、モード設定キー等の操作キー、ディスプレイ（例えば、液晶ディスプレイ）、ＬＥＤ（Light Emitting Diode）等を備えている。操作表示部９は、操作キーからは、デジタル複写装置１を利用した複写処理に必要な各種操作（例えば、変倍や集約等の画像処理のモード設定、コピー部数や解像度等のコヒー条件の設定操作等）が行われ、ディスプレイには、操作キーから入力された命令内容やデジタル複写装置１からユーザに通知する各種情報が表示される。特に、操作表示部９は、トナー等の印刷材やロール紙Ｒ１〜Ｒ３等の消耗品切れ、ロール紙Ｒ１〜Ｒ３のジャム等の異常発生によって印刷が停止したときの対応情報のディスプレイへの表示や対応処理の指示操作等に使用される。
【００３２】
デジタル複写装置１は、その制御系の主要部が、図２に示すようにブロック構成されており、ＣＰＵ（Central Processing Unit）１０１、印刷制御部１０２、機能制御部１０３、情報表示部１０４、データ蓄積部１０５及びデータ抽出部１０６等を備えている。
【００３３】
ＣＰＵ１０１は、図示しないＲＯＭ（Read Only Memory）またはデータ蓄積部１０５に保管されているプログラムに基づいてデジタル複写装置１の各部を制御して、デジタル複写装置１としての基本処理を実行するとともに、ＲＯＭまたはデータ蓄積部１０５に格納されている本発明の画像形成制御プログラムに基づいて、後述する本発明の異常発生による印刷中断（画像形成中断）後の印刷再開（画像形成再開）を、ユーザの意図する印刷再開位置（画像形成再開位置）から行う画像形性制御方法を実行する。
【００３４】
すなわち、本実施例のデジタル複写装置１は、ＲＯＭ、ＥＥＰＲＯＭ（Electrically Erasable and Programmable Read Only Memory）、ＥＰＲＯＭ、フラッシュメモリ、フレキシブルディスク、ＣＤ−ＲＯＭ（Compact Disc Read Only Memory）、ＣＤ−ＲＷ（Compact Disc Rewritable）、ＤＶＤ（Digital Versatile Disk）、ＳＤ（Secure Digital）カード、ＭＯ（Magneto-Optical Disc）等のコンピュータが読み取り可能な記録媒体に記録されている本発明の画像形成制御方法を実行する画像形成制御プログラムを読み込んでＲＯＭやデータ蓄積部１０５等に導入することで、後述する本発明の異常発生による印刷停止後の印刷再開をユーザの意図する印刷再開位置から行う画像形性制御方法を実行する画像形成装置として構築されている。この画像形成制御プログラムは、アセンブラ、Ｃ、Ｃ＋＋、Ｃ＃、Ｊａｖａ（登録商標）等のレガシープログラミング言語やオブジェクト指向ブログラミング言語等で記述されたコンピュータ実行可能なプログラムであり、上記記録媒体に格納して頒布することができる。
【００３５】
印刷制御部１０２は、ＣＰＵ１０１の制御下で、ユーザによる操作表示部９の操作または外部装置からの印刷コマンドによって要求される印刷動作を受け付け、要求内容に応じた印刷制御を行う。
【００３６】
機能制御部１０３は、異常発生によって印刷が中断したときに、印刷を再開するデータ位置（印刷再開印刷データ位置）の算出や印刷再開位置の印刷制御部１０２への設定等のデジタル複写装置１の機能判定及び機能設定を行う。
【００３７】
情報表示部１０４は、受け付けた印刷動作の実行状況、デジタル複写装置１の状態表示、機能制御部１０３で判断された機能の利用可否に応じてユーザの選択可能な機能を操作表示部９のディスプレイに表示させる。
【００３８】
データ蓄積部（データ保存手段、画像形成再開位置記憶手段）１５は、ＣＰＵ１０１の制御下で、受け付けた印刷情報（印刷データ、印刷設定情報）、印刷を中断したデータ位置（印刷中断印刷データ位置）、機能制御部１０３が設定した印刷再開位置等の各種データを記憶し、また、ＣＰＵ１０１の制御下で、記憶するデータが読み出される。
【００３９】
データ抽出部１６では、機能制御部１０３が設定した印刷再開位置等の情報に基づいて、データ蓄積部１５に記憶されている印刷するデータを取り出す。
【００４０】
次に、本実施例の作用について説明する。本実施例のデジタル複写装置１は、異常発生によって印刷停止したときに、ユーザの意図する任意の印刷再開位置から印刷を再開する。
【００４１】
まず、印刷中断時制御処理について、図３に基づいて説明する。デジタル複写装置１は、操作表示部９の操作または外部装置からロール紙Ｒ１〜Ｒ３を使用した印刷要求があると、印刷制御部１０２が印刷処理に必要な情報を取得して、印刷データ及び印刷設定情報をデータ蓄積部１０５に記憶し、データ抽出部１０６がデータ蓄積部１０５から必要なデータを取り出して、ＣＰＵ１０１の制御下で、ロール紙Ｒ１〜Ｒ３への印刷処理を開始する（ステップＳ１０１）。
【００４２】
この印刷処理中に、トナー等の印刷材やロール紙Ｒ１〜Ｒ３等の消耗品切れ、ロール紙Ｒ１〜Ｒ３のジャム等の異常が発生すると、ＣＰＵ１０１は、印刷制御部１０２を制御して印刷動作を停止させ（ステップＳ１０２）、印刷が再開可能になるまで、印刷動作を停止させて、印刷再開が可能か否か判定する（ステップＳ１０３）。この印刷再開は、ユーザが印刷を再開するために必要な作業、例えば、印刷材の補充やロール紙Ｒ１〜Ｒ３の交換、ジャム紙の取り除き等の作業を行うと、印刷再開が可能になる。
【００４３】
印刷再開が可能になると、ＣＰＵ１０１は、ユーザに印刷再開位置（場所）の選択を行わせ（ステップＳ１０４）、印刷再開位置が選択されると、印刷再開位置から印刷を再開する（ステップＳ１０５）。
【００４４】
そして、ＣＰＵ１０１は、ステップＳ１０４において、例えば、図４に示すような印刷再開位置選択画面Ｇ１を、操作表示部９のディスプレイに表示し、該印刷再開位置選択画面Ｇ１でのユーザによる選択操作結果に基づいて、印刷データの印刷再開データ位置を決定する。この印刷再開位置選択画面Ｇ１には、選択可能な印刷再開位置として、「中断場所」、「中断したページの先頭」、「１０ｃｍ手前から再開」、「区切り場所から再開」の選択ボタン及び「ＯＫ」ボタンと「印刷キャンセル」ボタンが表示されている。「中断場所」ボタンは、印刷を中断した印刷データの位置を印刷再開位置として選択指定するボタン、「中断したページの先頭」は、印刷を中断したページの印刷データの先頭から印刷再開を印刷再開位置として選択指定するボタン、「１０ｃｍ手前から再開」ボタンは、印刷を中断した印刷データの印刷後の画像において１０ｃｍ手前から印刷再開を印刷再開位置として選択指定するボタン、「区切り場所から再開」ボタンは、印刷中断位置から手前方向に予め設定されているデータ区切り位置から印刷再開を印刷再開位置として選択指定するボタンである。このデータ区切り位置は、例えば、ロール紙Ｒ１〜Ｒ３の搬送方向に直交する主走査方向に、所定列分（例えば、１列分）の画像データや文字データが存在しない部分（白画像部分）であり、どのようなデータ区切りをデータ区切り位置とするかを、操作表示部９の操作によって、ユーザが適宜設定できるようにしてもよい。この「区切り場所から再開」ボタンは、ロール紙Ｒ１〜Ｒ３搬送方向手前の最初の区切り位置を印刷再開位置として設定するボタンである。また、図４において、「キャンセル」ボタンは、中断した印刷をキャンセルする場合に操作され、ユーザは、「キャンセル」ボタンを操作することで、中断した印刷を中止させることができる。
【００４５】
なお、図４の印刷再開位置選択画面Ｇ１では、ハッチングの施されている「中断したページの先頭」のボタンが、印刷再開位置選択画面Ｇ１に、「デフォルト設定は黄色で表示されています」に対応するデフォルト印刷再開位置のボタンであることを示している。
【００４６】
そして、「１０ｃｍ手前から再開」ボタンにおける１０ｃｍは、操作表示部９の操作により適宜の値に設定可能である。すなわち、ＣＰＵ１０１は、操作表示部９の操作によって、印刷再開位置（場所）設定モードが選択操作されると、例えば、図５に示すような印刷再開位置設定画面Ｇ２を操作表示部９のディスプレイに表示し、印刷停止位置から手前に何ｃｍを印刷再開位置にするかを設定することができる。図５の印刷再開位置設定画面Ｇ２では、「ｃｍ」の前の、「１０」のデータ項目に適宜の数値を印刷再開位置として適宜入力あるいは予め設定されている複数の数値から選択することができ、その他に、ＯＫ」ボタンと「キャンセル」ボタンが表示されている。また、図５の印刷再開位置設定画面Ｇ２では、長さの単位である「ｃｍ」も変更して設定できるようになっている。
【００４７】
デジタル複写装置１では、この「１０ｃｍ手前から再開」の印刷再開位置の設定を、印刷を行う前、または、印刷が中断したときに、実行可能とする。
【００４８】
また、デジタル複写装置１は、印刷再開のデフォルト位置を選択設定することができ、ＣＰＵ１０１は、操作表示部９の操作によって印刷再開デフォルト位置設定モードが選択操作されると、図６に示すような印刷再開デフォルト位置設定画面Ｇ３を操作表示部９のディスプレイに表示して、印刷再開デフォルト位置を選択設定可能とする。図６の印刷再開デフォルト位置設定画面Ｇ３では、「中断場所」、「中断したページの先頭」、「１０ｃｍ手前から再開」、「区切り場所から再開」、「デフォルト設定しない」の選択ボタン及び「ＯＫ」ボタンと「印刷キャンセル」ボタンが表示されている。すなわち、印刷再開デフォルト位置の設定においては、「中断場所」、「中断したページの先頭」、「１０ｃｍ手前から再開」及び「区切り場所から再開」のいずれか、または、「デフォルト設定しない」を選択設定することができ、ＣＰＵ１０１は、選択された印刷再開位置情報をデータ蓄積部１０５に保存するとともに、印刷再開位置選択画面Ｇ１の表示時に、図４に示したように、デフォルト位置として設定された選択ボタンを黄色等で他の選択ボタンとは異ならせて表示して、選択ボタンの選択操作を行うことなく「ＯＫ」ボタンが操作されると、デフォルト位置として設定されている印刷再開位置を、選択された印刷再開位置として取得して、印刷再開処理を実行する。この印刷再開デフォルト位置を設定する場合、印刷が中断してから印刷を再開するまでの間に印刷再開デフォルト位置が設定されていればよい。なお、デジタル複写装置１は、印刷再開デフォルト位置が設定されている場合、印刷再開が可能となった時点で、印刷再開位置選択画面Ｇ１を表示することなく、印刷再開デフォルト位置から印刷処理を再開してもよい。
【００４９】
そして、ＣＰＵ１０１は、上記印刷再開処理では、図７に示すように、処理を行う。すなわち、ＣＰＵ１０１は、上記印刷再開位置選択画面Ｇ１を操作表示部９のディスプレイに表示して、適宜の印刷再開位置のボタンが選択操作されて、「ＯＫ」ボタンが操作されると、機能制御部１０３に印刷を再開するデータ位置を算出させ（ステップＳ２０１）、データ抽出部１０６に選択された印刷再開位置以降の印刷データをデータ蓄積部１０５に保存されている印刷データから抽出させて、印刷制御部１０２に出力させる（ステップＳ２０２）。ＣＰＵ１０１は、印刷制御部１０２に印刷再開位置の印刷データから印刷動作を再開させて（ステップＳ２０３）、印刷動作が完了すると、処理を終了する。
【００５０】
例えば、いま、図８に示すように、デジタル複写装置１は、ページＰ１からページＰ３まで印刷する場合、ＣＰＵ１０１は、印刷する全ページＰ１〜Ｐ３の印刷データを、データ蓄積部１０５に保存し、保存したデータ蓄積部１０５の印刷データに基づいて画像形成部４で給紙部３から搬送されてきたロール紙Ｒ１〜Ｒ３への印刷を開始する。
【００５１】
ＣＰＵ１０１は、図８に示すように、ページＰ２を印刷中に、ロール紙Ｒ１〜Ｒ３のジャム、ロール紙切れ等の異常発生によって、印刷中断位置Ｋ１で印刷が中断すると、印刷中断位置Ｋ１を決定して、データ蓄積部１０５に保存する。次に、ＣＰＵ１０１は、ユーザによって異常解消作業が行われて印刷再開可能になると、印刷再開位置選択画面Ｇ１を操作表示部９のディスプレイに表示して印刷再開位置の選択をユーザに行わせ、「中断場所」、「中断したページの先頭」、「１０ｃｍ手前から再開」、「区切り場所から再開」からユーザによって選択された印刷再開位置を決定する。ＣＰＵ１０１は、印刷開始位置を決定すると、機能制御部１０３に印刷を再開するデータ位置を算出させ、データ抽出部１０６に、該印刷再開データ位置以降の印刷データをデータ蓄積部１０５に保存されている印刷データから抽出させて、該印刷再開位置の印刷データから印刷動作を再開させる。なお、図８において、Ｋ２は、印刷が中断されたページの先頭、Ｋ３は、印刷が中断された場所から任意の長さ（例えば、１０ｃｍ）分手前の位置、Ｋ４は、区切り場所であり、区切り場所Ｋ４を印刷再開位置として、印刷を再開した場合が示されている。
【００５２】
このように、本実施例のデジタル複写装置１は、印刷対象（画像形成対象）の印刷データ（画像データ）をデータ蓄積部（データ保存手段）１０５に保存して、該印刷データに基づいてロール紙Ｒ１〜Ｒ３に印刷（画像形成）している途中に、該印刷が異常中断すると、該印刷データにおける中断位置を取得し、操作表示部９での指定に応じて、該中断位置から既に印刷済み印刷データ（画像形成済み画像データ）方向の任意の位置を印刷再開位置（画像形成再開位置）として設定して、設定した該印刷再開位置から以降の印刷データをデータ抽出部１０６がデータ蓄積部１０５から読み出して、印刷制御部１０２が、画像形成部４によるロール紙Ｒ１〜Ｒ３への印刷を再開する。
【００５３】
したがって、画像形成が中断した場合に、ユーザが指定した任意の位置から印刷を再開することができ、消耗品の無駄を抑制することができるとともに、利用性を向上させることができる。
【００５４】
また、本実施例のデジタル複写装置１は、印刷データ（画像データ）の適宜の区切り部分のうち、印刷中断位置から適宜に指定された該区切り部分の数だけ印刷済み印刷データ方向の区切り部分を、印刷再開位置として指定している。
【００５５】
したがって、印刷データの区切りのうち、ユーザの意図する区切り位置から印刷を再開することができ、消耗品の無駄を抑制することができるとともに、利用性をより一層向上させることができる。
【００５６】
さらに、本実施例のデジタル複写装置１は、印刷中断位置から印刷データの任意のライン数だけ印刷済み画像データ方向の位置を、印刷再開位置として指定している。
【００５７】
したがって、印刷データのライン区切りのうち、ユーザの意図するライン位置から印刷を再開することができ、消耗品の無駄を抑制することができるとともに、利用性をより一層向上させることができる。
【００５８】
また、本実施例のデジタル複写装置１は、印刷中断位置からロール紙Ｒ１〜Ｒ３の任意の長さだけ印刷済み印刷データ方向の位置を、印刷再開位置として指定している。
【００５９】
したがって、ロール紙Ｒ１〜Ｒ３の印刷中断位置よりも手前側のユーザの意図する適宜の位置から印刷を再開することができ、消耗品の無駄を抑制することができるとともに、利用性をより一層向上させることができる。
【００６０】
さらに、本実施例のデジタル複写装置１は、印刷データの適宜の区切り部分のうち中断位置から適宜に指定された該区切り部分の数だけ印刷済み印刷データ方向の区切り部分、該中断位置から該画像データの任意のライン数だけ印刷済み印刷データ方向の任意ライン後方位置、該中断位置からロール紙Ｒ１〜Ｒ３の任意の長さだけ印刷済み印刷データ方向の任意長さ後方位置を、印刷再開位置としてデータ蓄積部１０５に記憶して、該区切り部分、該任意ライン後方位置、該任意長さ後方位置または印刷中断位置のうちいずれかの位置を印刷再開位置として、操作表示部９の操作で選択している。
【００６１】
したがって、印刷再開位置を複数の候補から速やかに選択して印刷を再開することができ、消耗品の無駄を抑制することができるとともに、利用性をより一層向上させることができる。
【００６２】
また、本実施例のデジタル複写装置１は、操作表示部９によって予め設定されている印刷再開位置を、デフォルト印刷再開位置（初期設定画像形成再開位置）としてデータ蓄積部１０５に記憶し、データ抽出部１０６は、データ蓄積部１０５に記憶されているデフォルト位置を印刷再開位置として画像形成部４に印刷を再開させている。
【００６３】
したがって、印刷再開位置の指定操作を省いて、ユーザの意図する印刷再開位置から速やかに印刷を再開することができ、消耗品の無駄を抑制することができるとともに、利用性をより一層向上させることができる。
【００６４】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【産業上の利用可能性】
【００６５】
本発明は、ロール紙に印刷する複写装置、複合装置、プリンタ装置等の画像形成装置、画像形成制御方法、画像形成制御プログラム及び記録媒体に利用することができる。
【符号の説明】
【００６６】
１  デジタル複写装置
２  本体筐体
３  給紙部
４  画像形成部
５  排紙部
６  排紙トレイ
７  画像読み取り部
８  原稿台
９  操作表示部
１０  原稿排出テーブル
ＰＲ１〜ＰＲ３  ロール紙
３ａ  ロール紙給紙部
ＣＰ  カット用紙
３ｂ  手差し給紙部
３０  レジストローラ
３１、３２、３３  搬送ローラ
３４、３５、３６  中間搬送ローラ
３７、３８  ロールカッタ
３９  搬送ローラ
Ｔｂ  手差し給紙台
４１  感光体
４２  光書き込み部
４３  転写部
４４  定着部
５１、５２  排出ローラ
５３  分離爪
６１  前ローラ
６２  原稿挿入センサ
６３  読み取りセンサ部
６４  後ローラ
６５  原稿排出センサ
６６  排出ローラ
１０１  ＣＰＵ
１０２  印刷制御部
１０３  機能制御部
１０４  情報表示部
１０５  データ蓄積部
１０６  データ抽出部
Ｇ１  印刷再開位置選択画面
Ｇ２  印刷再開位置設定画面
Ｇ３  印刷再開デフォルト位置設定画面
【先行技術文献】
【特許文献】
【００６７】
【特許文献１】特開平１１−２０８０７８号公報
【図１】
2012148437.tif 000003
【図２】
2012148437.tif 000004
【図３】
2012148437.tif 000005
【図４】
2012148437.tif 000006
【図５】
2012148437.tif 000007
【図６】
2012148437.tif 000008
【図７】
2012148437.tif 000009
【図８】
2012148437.tif 000010